(57)【特許請求の範囲】
【請求項１】
路上に設置され、箱型でその上面の左右に吊りボルト用ナットを設け、正面に開閉自在な扉を有する配電搭において、
正面視が四角形状で、上の端縁から後方に設けた折曲縁の後端から下方へ垂下させて枠体係止端縁を設け、下の端縁から後方に設けた折曲縁の後端に背面板を渡して袋状部を備えた枠体を用意し、当該枠体を上記配電塔の正面、背面、左側面及び右側面を略被う大きさのものに夫々設け、
上記配電搭の正面の扉の上端の折曲縁に係止した上部掛け金具に正面枠体の枠体係止端縁を取り付け、正面の扉の下端の折曲縁に係止した下部掛け金具に、正面枠体の上記袋状部を取り付けて正面枠体を扉に取り付け、
上記配電塔の上面の左右に板体を重合し、これらの各板体に穿った孔を通して配電塔の上面の吊りボルト用ナットにボルトを螺着して各板体を係止し、各板体に接続した上部掛け金具を配電塔の左右の側面上部に垂下させ、当該上部掛け金具に左右の各側面枠体の上部を取り付け、
上記左側面枠体及び右側面枠体の背面側の各端縁の一部に配電塔の背面に重ねた上記背面枠体の左右の端縁の一部を重ねて取り付け、
上記袋状部に土壌又は水を入れて上記各枠体内に植物を生育させるように構成したことを特徴とする、配電搭の緑化フレーム。
【請求項２】
上記正面枠体は、これを配電搭に取り付けた際の表面を上下左右に一定幅の端縁を残して開口面とし、また上下左右の端縁から後方に夫々折曲縁を有し、当該上端の折曲縁の後端から下方へ垂下させて枠体係止端縁とし、上記袋状部は下端の折曲縁、左右の折曲縁及び背面板から成り、当該背面板の下端縁に沿ってアングル状の枠体係止片を設け、上記配電搭の正面の扉の上端の折曲縁に係止した上部掛け金具の係止溝に正面枠体の枠体係止端縁を引っ掛け、正面の扉の下端の折曲縁に係止した下部掛け金具のナットに、正面枠体の枠体係止片を重ねて当該枠体係止片の貫通孔を通してボルトを螺着して、正面枠体を扉に取り付け、
上記左右の各側面枠体は、これらを配電搭に取り付けた際の表面を上下左右に一定幅の端縁を残して開口面とし、また上下左右の端縁から後方に夫々折り曲げた折曲縁を有し、上端の折曲縁の後端から下方へ垂下させて枠体係止端縁とし、上記袋状部は下端の折曲縁、左右の折曲縁及び背面板から成り、当該各側面枠体の下部の配電搭の正面側の折曲縁から、当該配電搭の正面側に舌片を突出させて係止片を設け、これらの係止片には貫通孔を穿ち、当該各側面枠体の背面枠体側の折曲縁に複数の水平な舌片を設け、これらの舌片に突起を設け、上記配電搭の上面の左右の側縁に沿って、上部掛け金具を配電搭の左右の側面上部に垂下した板体を重合し、この板体に穿った孔を通して配電搭の上面の吊りボルト用ナットにボルトを螺着して上部掛け金具を固定し、上記左右の各側面枠体の枠体係止端縁を夫々上部掛け金具の係止溝に引っ掛け、当該各側面枠体の各係止片の貫通孔を、当該配電搭のベースの正面に当接させた棒材の両端に設けたナットに当接した後、ボルトを係止片の貫通孔に通してナットを螺着して左右の各側面枠体を固定し、
上記背面枠体は、これを配電搭に取り付けた際の表面を上下左右に一定幅の端縁を残して開口面とし、また上下左右の端縁から後方に折曲縁を有し、上記袋状部は下端の折曲縁、左右の折曲縁及び背面板から成り、当該左右の折曲縁に複数の水平な舌片を設け、これらの舌片に、上記左右の側面枠体の複数の水平な舌片の突起に嵌合自在な貫通孔を設け、当該背面枠体の左右の折曲縁から突出した水平な舌片の貫通孔を、左右の各側面枠体の水平な各舌片の突起に嵌めて各舌片を重合させて背面枠体を配電搭の背面に取り付けたことを特徴とする、上記請求項１に記載の配電搭の緑化フレーム。
【請求項３】
上記正面枠体の左右の折曲縁に複数の上向き鉤型の突出部を設け、上記各突出部を縦方向に覆う断面鉤型で長尺な正面コーナーカバーをその内側に設けた複数の板体の一部に穿った貫通孔に上記突出部を夫々軸支して回動自在に設け、これらの各正面コーナーカバーの、左右の各側面枠体側端縁は、上記左側面枠体の右側縁及び右側面枠体の左側縁を内側に一定長傾斜させた傾斜端縁に重合自在とし、
上記左右の各側面枠体と背面枠体との各突き合せ部の突起の上に、断面鉤型で長尺な背面コーナーカバーの三角板の内側に設けた複数の各貫通孔を嵌めて背面コーナーカバーを被せ、正面枠体、左右の各側面枠体、背面枠体、正面コーナーカバー、背面コーナーカバーとが連なって面一と成る構成したことを特徴とする、上記請求項２に記載の配電搭の緑化フレーム。
【請求項４】
上記配電塔及び当該配電塔に取り付けられた正面、背面、左側面及び右側面の各枠体の上端の折曲縁を屋根カバーで覆って当該屋根カバーを配電塔に取り付け、当該屋根カバーを外さなければ、当該各枠体の着脱は出来ない構成としたことを特徴とする、上記請求項１乃至３の何れかに記載の配電塔の緑化フレーム。  
【発明の詳細な説明】
【技術分野】
【０００１】
この発明は、昨今、社会問題となっている都市部のヒートアイランド現象の対策として有効と言われている屋上緑化や壁面緑化の一助となるものであって、都市部の路上に設置された配電塔の緑化フレームに関するものである。
【背景技術】
【０００２】
近年都市部において、ヒートアイランド現象が顕在化し、その対策として屋上緑化や壁面緑化が促進されている。そしてその一助として都市部路上に多数設置されている配電塔を緑化することが有効と考えられる。配電塔は、路上に設置され、その内部で地中から挿通された電力ケーブルを立ち上げて需要家に電力を供給するものであり、現在広い歩道においては、配電塔から３００ｍｍ程度離隔を取って囲いを設け、そこに草花を育成しているものが見られる。
【発明の開示】
【発明が解決しようとする課題】
【０００３】
しかしながら、ほとんどの歩道は、幅が狭くこの様な囲いは設けられないのが実情である。また設けられたとしても、この様な緑化方法では配電塔の外面から３００ｍｍの離隔をもって自立した囲いを設けていることから、通行の妨げとなり、その一方配電塔の外面から３００ｍｍ離隔して設けており、ヒートアイランド現象の抑制効果は配電塔に密着したかたちでないと十分な効果が得られない。また囲いと配電塔の外面とが離隔しているので張り紙をされる恐れがある。また囲いを開けないと配電塔の扉を開けることができず、囲いの扉の開放時にはその分スペースを必要とする。さらに万一配電塔内で短絡事故が発生した場合、配電塔背面へ排出された放圧ガスが囲いの背面に跳ね返って一部が正面の歩行者側へ吹き出し危険である。また囲いが地面に自立しているのでこの囲いの地面接触部から腐食し易く、またこの囲いを設ける際、囲いの基礎を地面に埋め込む必要がある。
【０００４】
そこでこの発明は、通行人に安全で、配電塔の機能を損なわず、簡単に緑化できる配電塔緑化フレームを提供して上記課題を解決するものである。
【課題を解決するための手段】
【０００５】
請求項１の発明は、路上に設置され、箱型でその上面の左右に吊りボルト用ナットを設け、正面に開閉自在な扉を有する配電搭において、正面視が四角形状で、上の端縁から後方に設けた折曲縁の後端から下方へ垂下させて枠体係止端縁を設け、下の端縁から後方に設けた折曲縁の後端に背面板を渡して袋状部を備えた枠体を用意し、当該枠体を上記配電塔の正面、背面、左側面及び右側面を略被う大きさのものに夫々設け、上記配電搭の正面の扉の上端の折曲縁に係止した上部掛け金具に正面枠体の枠体係止端縁を取り付け、正面の扉の下端の折曲縁に係止した下部掛け金具に、正面枠体の上記袋状部を取り付けて正面枠体を扉に取り付け、上記配電塔の上面の左右に板体を重合し、これらの各板体に穿った孔を通して配電塔の上面の吊りボルト用ナットにボルトを螺着して各板体を係止し、各板体に接続した上部掛け金具を配電塔の左右の側面上部に垂下させ、当該上部掛け金具に左右の各側面枠体の上部を取り付け、上記左側面枠体及び右側面枠体の背面側の各端縁の一部に配電塔の背面に重ねた上記背面枠体の左右の端縁の一部を重ねて取り付け、上記袋状部に土壌又は水を入れて上記各枠体内に植物を生育させるように構成した配電搭の緑化フレームとした。
【０００６】
請求項２の発明は、上記正面枠体は、これを配電搭に取り付けた際の表面を上下左右に一定幅の端縁を残して開口面とし、また上下左右の端縁から後方に夫々折曲縁を有し、当該上端の折曲縁の後端から下方へ垂下させて枠体係止端縁とし、上記袋状部は下端の折曲縁、左右の折曲縁及び背面板から成り、当該背面板の下端縁に沿ってアングル状の枠体係止片を設け、上記配電搭の正面の扉の上端の折曲縁に係止した上部掛け金具の係止溝に正面枠体の枠体係止端縁を引っ掛け、正面の扉の下端の折曲縁に係止した下部掛け金具のナットに、正面枠体の枠体係止片を重ねて当該枠体係止片の貫通孔を通してボルトを螺着して、正面枠体を扉に取り付けた。
【０００７】
また上記左右の各側面枠体は、これらを配電塔に取り付けた際の表面を上下左右に一定幅の端縁を残して開口面とし、また上下左右の端縁から後方に夫々折り曲げた折曲縁を有し、上端の折曲縁の後端から下方へ垂下させて枠体係止端縁とし、上記袋状部は下端の折曲縁、左右の折曲縁及び背面板から成り、当該各側面枠体の下部の配電塔の正面側の折曲縁から、当該配電塔の正面側に舌片を突出させて係止片を設け、これらの係止片には貫通孔を穿ち、当該各側面枠体の背面枠体側の折曲縁に複数の水平な舌片を設け、これらの舌片に突起を設け、上記配電塔の上面の左右の側縁に沿って、上部掛け金具を配電塔の左右の側面上部に垂下した板体を重合し、この板体に穿った孔を通して配電塔の上面の吊りボルト用ナットにボルトを螺着して上部掛け金具を固定し、上記左右の各側面枠体の枠体係止端縁を夫々上部掛け金具の係止溝に引っ掛け、当該各側面枠体の各係止片の貫通孔を、当該配電塔のベースの正面に当接させた棒材の両端に設けたナットに当接した後、ボルトを係止片の貫通孔に通してナットを螺着して左右の各側面枠体を固定した。
【０００８】
さらに上記背面枠体は、これを配電塔に取り付けた際の表面を上下左右に一定幅の端縁を残して開口面とし、また上下左右の端縁から後方に折曲縁を有し、上記袋状部は下端の折曲縁、左右の折曲縁及び背面板から成り、当該左右の折曲縁に複数の水平な舌片を設け、これらの舌片に、上記左右の側面枠体の複数の水平な舌片の突起に嵌合自在な貫通孔を設け、当該背面枠体の左右の折曲縁から突出した水平な舌片の貫通孔を、左右の各側面枠体の水平な各舌片の突起に嵌めて各舌片を重合させて背面枠体を配電塔の背面に取り付けた上記請求項１に記載の配電塔の緑化フレームとした。
【０００９】
請求項３の発明は、上記正面枠体の左右の折曲縁に複数の上向き鉤型の突出部を設け、上記各突出部を縦方向に覆う断面鉤型で長尺な正面コーナーカバーをその内側に設けた複数の板体の一部に穿った貫通孔に上記突出部を夫々軸支して回動自在に設け、これらの各正面コーナーカバーの、左右の各側面枠体側端縁は、上記左側面枠体の右側縁及び右側面枠体の左側縁を内側に一定長傾斜させた傾斜端縁に重合自在とし、上記左右の各側面枠体と背面枠体との各突き合せ部の突起の上に、断面鉤型で長尺な背面コーナーカバーの三角板の内側に設けた複数の各貫通孔を嵌めて背面コーナーカバーを被せ、正面枠体、左右の各側面枠体、背面枠体、正面コーナーカバー、背面コーナーカバーとが連なって面一と成る構成した上記請求項２に記載の配電搭の緑化フレームとした。
【００１０】
請求項４の発明は、上記配電塔及び当該配電塔に取り付けられた正面、背面、左側面及び右側面の各枠体の上端の折曲縁を屋根カバーで覆って当該屋根カバーを配電塔に取り付け、当該屋根カバーを外さなければ、当該各枠体の着脱は出来ない構成とした上記請求項１乃至３の何れかに記載の配電塔の緑化フレームとした。
【発明の効果】
【００１１】
請求項１乃至４の各発明によれば、路上に設置されている配電塔をその機能を損なわず、簡単に緑化することができる。また配電塔の扉等に直接取り付けるので、必要以上にスペースを取らず、通行人や車両の運行の邪魔になることがない。また請求項２の発明によれば、各枠体の開口面を大きく取ったので、植物を密度高く生育することができて緑化の効果が大きく期待出来る。また各枠体を配電塔の各面に夫々係止金具等を使って取り付けたので、各枠体を確実かつ強固に取り付けることが出来、当該緑化フレームが無闇に外れることも無く、施設として信頼性が高く、長期間に渡って使用出来るものである。これらの枠体を取り付けるに当って、配電塔を新たに傷付けたり加工したりしないで取り付けられる。さらに各枠体の取り付けに当って、配電塔を開ける必要が無く、配電塔の管理者の立ち合い等が不要である。
【００１２】
請求項３の発明によれば、背面枠体、左側面枠体及び右側面枠体を相互に連結して係止し、この係止箇所に背面コーナーカバーを被せ、さらに正面コーナーカバーの一端を左側面枠体及び右側面枠体の各傾斜端縁に重なるように設けたので、各枠体が強固にかつ各枠体の表面が面一に設けられ、通行人等にも安全であり、配電塔の扉の開閉や万一の内部短絡事故時の放圧が円滑に出来、施設として長く使用出来るものである。さらに請求項４の発明によれば、配電塔及びこの配電塔に取り付けられた各枠体の上面を屋根カバーで覆い、この屋根カバーを外さなければ、各枠体の着脱は出来ない構成としたので、装着が確実であり、いたずらに各枠体が外れることがなく、施設として信頼性の高いものである。
【発明を実施するための最良の形態】
【００１３】
扁平かつ縦長の枠体を用意し、当該枠体を上記配電塔の正面、背面、左側面及び右側面に夫々取り付け、上記各枠体の下縁に沿った端部の裏面側に袋状部を設け、当該袋状部に土壌又は水を入れて当該各枠体内に植物を生育させるように構成した。
【００１４】
また上記正面枠体は、これを配電塔に取り付けた際の表面を上下左右に一定幅の端縁を残して開口面とし、また上下左右の端縁から後方に夫々折曲縁を有し、当該上端の折曲縁の後端から下方へ垂下させて枠体係止端縁とし、上記袋状部は下端の折曲縁、左右の折曲縁及び背面板から成り、当該背面板の下端縁に沿ってアングル状の枠体係止片を設け、上記配電塔の正面の扉の上端の折曲縁に係止した上部掛け金具の係止溝に正面枠体の枠体係止端縁を引っ掛け、正面の扉の下端の折曲縁に係止した下部掛け金具のナットに、正面枠体の枠体係止片を重ねて当該枠体係止縁の貫通孔を通してボルトを螺着して、正面枠体を扉に取り付けた。
【００１５】
さらに上記左右の各側面枠体は、これらを配電塔に取り付けた際の表面を上下左右に一定幅の端縁を残して開口面とし、また上下左右の端縁から後方に夫々折り曲げた折曲縁を有し、上端の折曲縁の後端から下方へ垂下させて枠体係止端縁とし、上記袋状部は下端の折曲縁、左右の折曲縁及び背面板から成り、当該各側面枠体の下部の配電塔の正面側の折曲縁から、当該配電塔の正面側に舌片を突出させて係止片を設け、これらの係止片には貫通孔を穿ち、当該各側面枠体の背面枠体側の折曲縁に複数の水平な舌片を設け、これらの舌片に突起を設け、上記配電塔の上面の左右の側縁に沿って、上部掛け金具を配電塔の左右の側面上部に垂下した板体を重合し、この板体に穿った孔を通して配電塔の上面の吊りボルト用ナットにボルトを螺着して上部掛け金具を固定し、上記左右の各側面枠体の枠体係止端縁を夫々上部掛け金具の係止溝に引っ掛け、当該各側面枠体の各係止片の貫通孔を、当該配電塔のベースの正面上部に当接させた棒材の両端に設けたナットに当接した後、ボルトを係止片の貫通孔に通してナットを螺着して左右の各側面枠体を固定した。
【００１６】
また上記背面枠体は、これを配電塔に取り付けた際の表面を上下左右に一定幅の端縁を残して開口面とし、また上下左右の端縁から後方に折曲縁を有し、上記袋状部は下端の折曲縁、左右の折曲縁及び背面板から成り、当該左右の折曲縁に複数の水平な舌片を設け、これらの舌片に、上記左右の側面枠体の複数の水平な舌片の突起に嵌合自在な貫通孔を設け、当該背面枠体の左右の折曲縁から突出した水平な舌片の貫通孔を、左右の各側面枠体の水平な各舌片の突起に嵌めて各舌片を重合させて背面枠体を配電塔の背面に取り付けた。
【００１７】
上記正面枠体の左右の折曲縁に複数の上向き鉤型の突出部を設け、上記各突出部を縦方向に覆う断面鉤型で長尺な正面コーナーカバーをその内側に設けた複数の板体の一部に穿った貫通孔に上記突出部を夫々軸支して回動自在に設け、これらの各正面コーナーカバーの、左右の各側面枠体側端縁は、上記左側面枠体の右側縁及び右側面枠体の左側縁を内側に一定長傾斜させた傾斜端縁に重合自在とし、上記左右の各側面枠体と背面枠体との各突き合せ部の突起の上に、断面鉤型で長尺な背面コーナーカバーの三角板の内側に設けた複数の各貫通孔を嵌めて背面コーナーカバーを被せ、正面枠体、左右の各側面枠体、背面枠体、正面コーナーカバー、背面コーナーカバーとが連なって面一と成る構成とした。
【００１８】
さらに上記配電塔及び当該配電塔に取り付けられた正面、背面、左側面及び右側面の各枠体の上端の折曲縁を屋根カバーで覆って当該屋根カバーを配電塔に取り付け、当該屋根カバーを外さなければ、当該各枠体の着脱は出来ない構成とした。
【実施例１】
【００１９】
以下、この発明の実施例を図に基づいて説明する。
図１乃至図３に示すのは、この実施例の緑化フレームＡを取り付けた配電塔Ｃを示す。この実施例の配電塔Ｃの緑化フレームＡは、枠体に植物の中のフジやツタなどの蔓草を生育させて成り、この枠体を配電塔の正面、背面、左側面及び右側面の四面に夫々設置するものである。枠体の形状は、扁平かつ縦長であって、これを立設した際の表面を上下左右に一定幅の端縁を残して開口面とし、また上下左右の端縁から後方に夫々折曲縁を設け、この上端の折曲縁の後端から下方へ垂下させて係止端縁又は折り返し端縁とし、裏面は上記左右の折曲縁の下部の後端に背面板をわたし、枠体の表面の下部の端縁、枠体の左右の折曲縁、下端縁の折曲縁及び上記背面板により袋状部を形成している。
【００２０】
そして図４に示す様に、この枠体の下縁に沿った上記袋状部内に土壌Ｄを入れて当該箇所において植物Ｂを生育させる。この図４では、土壌Ｄの上面に蔓草の茎を通す複数の穴を穿ったカバーを被せている。またこの枠体内に格子枠３５を設け、この格子枠枠３５に植物Ｂの蔓を絡ませている。
正面用の枠体１（以下「正面枠体１」と言う）、背面用の枠体２（以下「背面枠体２」と言う）、及び左右の側面用の枠体３、４（以下「側面枠体３、４」と言う）の構成は、概ね同様であるが取り付け箇所によって多少異なる。以下順に説明する。
【００２１】
正面枠体１は、図１に示す様に、配電塔Ｃの正面の扉に取り付けるものであり、この配電塔Ｃの扉が左右に開く観音開きと成っているため、この正面枠体１も中央から左右に開くように、正面左枠体１ａ又は正面右枠体１ｂに分かれている。また図４及び図５に示す様に、正面枠体１の表面の上端の折曲縁の後端から下方へ垂下させ、後述するこの正面枠体１を配電塔Ｃの正面に取り付ける際の上部の枠体係止縁６とし、さらに上記袋状部の背面板の下端縁に、アングル材の枠体係止片７の垂直片部を当接固定し、その垂直片部の下端から外方に突出した水平な片の両端に二つの貫通孔７ａを穿っている。
【００２２】
この様な正面枠体１を取り付ける配電塔Ｃの扉５には、図６に示す様に、正面枠体１を取り付ける上部掛け金具８及び下部掛け金具９を予め取り付ける。上部掛け金具８は、断面略アングル型で正面枠体１の幅より少し短い長さを有しており、一側の端部を内側に若干折り返して係止縁８ａを設け、他側にねじ孔８ｂを穿ち、他側の端部を外側に折り返して折り返し端縁８ｅと係止溝８ｃを設け、この折り返し端縁８ｅの、ねじ孔８ｂと対向する位置に端縁側から切り欠きを設けている（図示省略）。この切り欠きを通して他側のねじ孔８ｂから、先端に略Ｕ字型の当接材８ｄを回転自在に装着したボルト８ｆを螺着している。また当接材８ｄを使用しない上部掛け金具８の中程の箇所では、図４に示す様に、ボルト８ｇとナット８ｈにより略楕円形状の回転板１０の上部を通して、この回転板１０を回転自在に設けている。さらに図６に示す様に、下部掛け金具９は、正面枠体１の幅より少し短い長さの板体の一側の端部を上方に折り返して係止縁９ａを設け、この板体の両端付近の下面にナット９ｂを二個固着している。
【００２３】
図１及び図７に示す様に、配電塔Ｃの扉５部分には、錠前１１などが取り付けられており、それらが凸部となって前方へ突出しており、これらの箇所に相応する正面左枠体１ａの右端縁側の上部から下部に至る一定幅の箇所には、この緑化フレームＡ設置後にも、当該配電塔Ｃの扉５の開閉操作のために植物Ｂの繁茂があっては邪魔なので、当該箇所に板状の錠前カバー１２を設けている。また図７及び図８に示す様に、正面左枠体１ａの内側においても錠前１１などが取り付けられた箇所と植物Ｂが繁茂する箇所とは、断面鉤型の壁面１２ａを設けて区切っている。正面左枠体１ａの右端縁の内側にばね１３の一端１３ａを取り付け他端１３ｂをこの錠前カバー１２の内側に取り付け、この様なばね１３を複数個取り付けて錠前カバー１２を開閉自在に設けている。そして常時はばね１３の力で錠前カバー１２が閉じており、作業者はばね１３の力に抗して錠前カバー１２を開けることが出来る。
【００２４】
さらに正面左枠体１ａの左側の折曲縁及び正面右枠体１ｂの右側の折曲縁には、図９に示す様に（但し図９では正面左枠体１ａと左側面枠体３との該当箇所のみ示す）、一定長の略チャネル材１４の一方の側面を固着し、他方の側面には、この略チャネル材１４の上方へその上部が突出した円柱１５を固着させている。この様にして正面左枠体１ａの左側の折曲縁及び正面右枠体１ｂの右側の折曲縁には、略チャネル材１４と円柱１５を上下方向に合計三個設けている。
【００２５】
背面枠体２は、図２に示す様に、ほぼ正面枠体１と同様の大きさであり、図１０に示す様に、厚さが少し正面枠体１より薄く、背面枠体２の表面の上端縁を全て裏面側に若干折り返して、折り返し端縁１６を設けている。この折り返し端縁１６にボルトとナットにより略楕円形状の回転板１０の上部を回転自在に取り付けている。折り返し端縁１６には同様にしてこの様な回転板１０を長手方向に複数個設けている。また図１１に示す様に、背面枠体２の左右の側面となる折曲縁には（但し図１１では背面枠体２の右側のみ示す）、水平な舌片１８を夫々横方向に突出させて上下方向に三個設けており、夫々の舌片１８に貫通孔を設けている。
【００２６】
左右の各側面枠体３、４は、図３に示す様に（但し図３では右側面枠体４のみ示す）、正面枠体１又は背面枠体２の夫々半分以下の大きさであり、厚さは背面枠体２とほぼ同じで、また図１２に示す様に、左右の各側面枠体３、４の表面の上端の折曲縁の後端から下方へ垂下させて、正面枠体１と同様に、枠体係止縁１９を設け、さらに図１３に示す様に、左側面枠体３の左側及び右側面枠体４の右側の各折曲縁には（但し図１３では左側面枠体３の左側面のみ示す）、水平な舌片２０を夫々横方向に突出させて上下方向に三個設けており、夫々の舌片２０の上面には突起２０ａを設けている。
【００２７】
また図１４に示す様に（但し図１４では左側面枠体３における場合のみ示す）、左側面枠体３の正面枠体１側の右側の折曲縁及び右側端縁枠体４の正面枠体１側の左側の折曲縁を正面枠体１側方向にかつ内側に夫々一定長傾斜させて傾斜端縁２１を設けている。さらに図４に示すように（但し図４では、右側面枠体４の正面枠体１側に突出させて設けたものを示す）、左側面枠体３及び右側面枠体４の夫々の下部の配電塔Ｃの正面側の折曲縁から夫々舌片を配電塔Ｃの正面側に水平方向に突出させ、この舌片に貫通孔２２ａを穿ち、後述するこの左右の各側面枠体３、４を配電塔Ｃの側面に取り付ける際の係止片２２としている。
【００２８】
この様な左右の各側面枠体３、４を取り付ける配電塔Ｃの上面の左右には、図１２及び図１５に示す様に（但し図１２及び図１５では右側のみ示す）、吊りボルト用ナット２３を設けており、この吊りボルト用ナット２３にボルト２４を螺着し、このボルト２４によって板体２５を介して上部掛け金具２６を配電塔Ｃの左右の側面に夫々取り付ける。上部掛け金具２６は、断面略鉤型で左右の側面枠体３、４の幅より少し短い長さを有しており、一側の端面に係止縁２６ａを設け、他側に複数の貫通孔２６ｂを穿ち、他側の下端部を外側に折り返して係止溝２６ｃを設けている。そしてこの上部掛け金具２６の係止縁２６ａを上記板体２５の一側下面に当ててねじ止めしている。またこの上部掛け金具２６の貫通孔２６ｂを設けた裏面には、ボルトとナットにより略楕円形状の回転板１０の上部を回転自在に取り付けている。この回転板１０は上部掛け金具２６に沿って長手方向に複数個設けている。
【００２９】
また図９、図１４及び図１７に示す様に、上記正面枠体１の左右の各側面を成す折曲縁に設けた円柱１５に、断面鉤型で長尺な正面コーナーカバー２７を回動自在に軸支している。つまりこの正面コーナーカバー２７の内側に間隔を空けて三角板２７ａを三段設けており、この三角板２７ａの一方の隅付近に貫通孔を穿ち、この貫通孔に上記円柱１５を夫々嵌め入れている。正面コーナーカバー２７の内側の各三角板２７ａの他方の隅付近に縦方向の長尺なアングル材２７ｂを固着する。各三角板２７ａの上から上記突出した各円柱１５の頭部にばね２８の一端２８ａを固着し、このばね２８の他端２８ｂを上記アングル材２７ｂに固着している。そして正面コーナーカバー２７の側面端は左右の側面枠体３、４の各傾斜端縁２１まで伸びて重合している。この時、正面枠体１の表面、左右の側面枠体３、４の表面及び正面コーナーカバー２７の断面鉤型の表面は、全て面一と成るようにする。
【００３０】
上記正面枠体１の円柱１５と正面コーナーカバー２７に取り付けたばね２８により、正面枠体１と正面コーナーカバー２７とは常時引っ張り合う状態にあり、その結果正面コーナーカバー２７には、常時配電塔の内側方向（図１４における矢印方向）に引く力がかかっている。図１８に示す様に、上記配電塔Ｃの左右夫々の扉５の開放に連なって、ばね２８の力に抗して、正面コーナーカバー２７は左側面枠体３の傾斜した傾斜端縁２１を乗り越えて、何等支障無く移動し、扉５が閉じられるとばね２８の力により、図１４に示す元の定位置に戻るようになっている。また図１９に示す様に、上記配電塔Ｃ内において短絡事故が起き、当該配電塔Ｃ内の左扉の蝶番２９の支持部２９ａが延伸して当該配電塔Ｃの左右側面に開口を作り放圧ガス３０を外部へ排出する際は、配電塔Ｃの左扉の蝶番２９の支持部２９ａの延伸と共に、上記正面コーナーカバー２７の後部がガス圧によりばね２８の力に抗して開いて、放圧ガス３０を配電塔Ｃの側面後方へ支障無く排出する。これは、左右の正面コーナーカバー２７ともに行われる。
【００３１】
次にこの緑化フレームＡを配電塔Ｃに取り付ける手順を説明する。
最初に正面枠体１を配電塔Ｃの正面の扉５に取り付ける。まずこの配電塔Ｃの屋根カバー３１を外しておく、図４及び図６に示す様に、上部掛け金具８を横にして係止縁８ａを配電塔Ｃの扉５の上部折り曲げ縁３２に係止し、この上部掛け金具８の位置を適切なものに合わせた後、上記切り欠きからボルト８ｆを締め付けて上部掛け金具８を扉５に固定する。
【００３２】
そして下部掛け金具９の係止縁９ａを配電塔Ｃの扉５の下部折り曲げ縁３３に係止してこの下部掛け金具９を取り付ける。この後、図４及び図５に示す様に、さらに正面枠体１の枠体係止縁６を上方から、扉５に係止した上部掛け金具８の係止溝８ｃに係止して正面枠体１を宙吊り状態にし、その後正面枠体１の枠体係止片７を、扉５に係止した下部掛け金具９の各ナット９ｂの下面に当て、係止片７の貫通孔７ａを通してボルト９ｃを下部掛け金具９のナット９ｂに螺着して、正面枠体１を配電塔Ｃの扉５に固定する。  
【００３３】
左右の側面枠体３、４を配電塔Ｃの左右の側面に取り付ける。図１２及び図１５に示す様に（但し図１２及び図１５では右側のみを示す）、左右の側面枠体３、４の枠体係止縁１９を上方から、配電塔Ｃに予め固定した上部掛け金具２６の係止溝２６ｃに係止して宙吊り状態にし、さらに、図４及び図１６に示す様に（但し図４では右側面枠体４側のみを示す）、左右の側面枠体３、４の各係止片２２の貫通孔２２ａを、配電塔Ｃの正面のベース４１の上部に当てた棒材４２の両端に設けたナット４２ａに当て、その後貫通孔２２ａを通してこれらのナット４２ａにボルト４３を螺着して左右の側面枠体３、４の下部を固定する。この様にして左右の側面枠体３、４を配電塔の左右の側面に取り付ける。
【００３４】
次に背面枠体２を配電塔Ｃの背面に取り付ける。図１１及び図１３に示す様に、既に取り付けられた左右の側面枠体３、４の左側又は右側の各折曲縁に設けた水平な舌片２０の突起２０ａに背面枠体２の左側面及び右側面を成す各折曲縁に設けた水平な舌片１８の貫通孔の位置を合わせて、上方からこれらに嵌め入れる。この様にして背面枠体２を配電塔Ｃの背面に取り付ける。この後、各舌片２０の各突起２０ａに、断面鉤型で長尺な背面コーナーカバー３４の内側に間隔を空けて三段に設けた三角板３４ａの略中央に穿った貫通孔を夫々嵌め入れて、この背面コーナーカバー３４を背面枠体２と左右の側面枠体３、４との突き合せ部分に夫々取り付ける。この時、左右の側面枠体３、４の表面、背面枠体２の表面及び背面コーナーカバー３４の表面は、全て面一と成るようにする。
【００３５】
その後この配電塔Ｃの上面に、屋根カバー３１を取り付ける。この屋根カバー３１は、上記正面枠体１、左右の側面枠体３、４、背面枠体２、正面コーナーカバー２７及び背面コーナーカバー３４を取り付けた配電塔Ｃの平面と形状及び大きさがほぼ同じで、一旦取り付けるとロックされ、屋根カバー３１の外面に設けられた穴から工具を内側に差し入れてロックを外すタイプのものである。従って、正面コーナーカバー２７及び背面コーナーカバー３４は屋根カバー３１に抑えられて外れない。
【００３６】
この様にして、配電塔Ｃの正面、背面、左側面及び右側面の四面夫々に緑化フレームＡを取り付ける。また上記格子枠３５の上部は、図４、図１０及び図１２に示す様に、取り付けられた回転板１０によって、支持されており、容易に外れないように成っている。また外す時は、この回転板１０を回動させれば容易に外すことが出来る。
【００３７】
この様な緑化フレームＡを都市部の路上に設けた配電塔Ｃに取り付けた場合、以下の効果を奏するものである。
太陽光による配電塔Ｃの内部温度の上昇を抑制できるので配電塔Ｃからの熱放射を抑制できる。ヒートアイランド現象の抑制のためのビル壁面緑化と路上での緑化の一体化が図れる。格子枠３５や網と蔓草により配電塔Ｃの通気口が隠されるので美観が向上する。配電塔Ｃの外面への落書きや張り紙を防止できる。配電塔Ｃの外板が急激に冷却されないので配電塔Ｃの内部の結露を抑制できる。チャンネルベース４１の通気口から内部への雨水の侵入を抑制できる。配電塔Ｃの外面に傷が付かないので配電塔Ｃの外板の延命化が図れる。既設配電塔Ｃの傷、汚れがひどいものは、この緑化フレームＡを取り付けることにより、それらの傷等が隠れて再塗装を施す必要がない。冬場等は、格子枠３５や網に直接引っ掛けるか、枠体内面と格子枠３５等との間に挟むか、格子枠３５等を外して枠体内に取り付けるかして、掲示板、広告板、電飾板、人口植物等を取り付けることができる。また格子枠３５等だけでも落書きや張り紙の防止効果が得られ、また装飾にもなる。
【００３８】
また正面枠体１、背面枠体２、左右の各側面枠体３、４、正面コーナーカバー２７、及び背面コーナーカバー３４とが夫々連なって面一と成る構成にしたので以下の効果を奏するものである。
蔓草が配電塔Ｃの蝶番部、錠前部に絡むのを防止できるので緊急時の配電塔Ｃの開錠、施錠、扉５の開閉が支障無く行える。配電塔Ｃの外面の出っ張り、鉄板端部、小半径角が無くなるので、通行人が当たったり、引っ掛けたりしてけがをすることを防止できる。側面枠体３，４の蝶番側の傾斜端縁２１に正面コーナーカバー２７の端縁を乗せて、常時正面コーナーカバー２７をばね２８により内側に引っ張っておく構造とすることにより、配電塔Ｃの扉５の開放時は、正面コーナーカバー２７の端部が側面枠体３、４の蝶番側の傾斜端縁２１の傾斜に乗り上げて行き、配電塔Ｃの扉５の開閉の操作が支障無く行え、また万一の配電塔Ｃ内の内部短絡事故時には、内部圧力上昇により、配電塔Ｃの扉５が少し開き側面に放圧されるが、その時放圧ガス３０は側面枠体３、４の正面枠体１側の傾斜端縁２１の傾斜と正面コーナーカバー２７の端縁により、正面枠体１側への吹き出しが規制され、斜め後方に安全、確実に放圧することができる。枠体にぴったり嵌る面一のパネルを嵌め込めば全周面一にまたがった絵画、写真等を貼り付けることができる。
【００３９】
配電塔の屋根カバー３１を外すことにより、各枠体を着脱自在にしたことにより、以下の効果を奏するものである。
配電塔Ｃの扉５を開けないで各枠体の着脱が出来るので、これらの作業時にわざわざ当該配電塔Ｃの管理者が立ち会う必要がない。配電塔Ｃの扉５を開けた際、屋根カバー３１により庇が出来るので、雨天の配電塔Ｃの扉５の開放時に配電塔Ｃの内部機器への雨水の吹き込みを抑制できる。屋根カバー３１内にバッテリー、受信器、発信器等を保管することが出来る。正面枠体１から屋根カバー３１へ跨る蔓草の増殖を防止できるので扉５の開閉が支障無く行える。
【００４０】
なお上記実施例では、正面枠体１、背面枠体２、左右の各側面枠体３、４を配電塔Ｃに取り付け、また各枠体同士を連結するのに舌片１８、２０、枠体係止縁６、１９、折り返し端縁１６、係止片７、２２、上部掛け金具８、２６、下部掛け金具９などを使用しているが、各枠体を取り付け、また各枠体同士を連結するのは、これらの構成に限るものではない。また植物Ｂを生育させるのに土壌Ｄを使用しているが、土壌Ｄに限らず水でもよい。また生育させる植物Ｂとして、ツタやフジなどの蔓草を使用したが、生育させる植物Ｂはこれらのものに限るものではない。さらに各枠体又は上部掛け金具８等に略楕円形状の回転板１０を設けているが、これらの回転板１０は、この発明の必須要件ではない。
【図面の簡単な説明】
【００４１】
【図１】この発明の実施例の正面枠体を配電塔の正面の扉部分に取り付けた状態を示す説明図である。
【図２】この発明の実施例の背面枠体を配電塔の背面に取り付けた状態を示す説明図である。
【図３】この発明の実施例の右側面枠体を配電塔の右側面に取り付けた状態を示す説明図である。
【図４】この発明の実施例の正面枠体を配電塔の正面の扉部分に取り付けた状態を示す側面一部断面図である。
【図５】この発明の実施例の正面枠体の一部省略断面側面図である。
【図６】この発明の実施例の配電塔の扉の上下に上部掛け金具及び下部掛け金具を取り付けた状態を示す一部省略側面断面図である。
【図７】この発明の実施例の正面枠体の錠前カバーを取り付けた状態を示す説明図である。
【図８】この発明の実施例の正面枠体の錠前カバー箇所の断面平面図である。
【図９】この発明の実施例の正面左枠体と左側面枠体とが突き合わさった角部を正面図側から示す説明図である。
【図１０】この発明の実施例の背面枠体を配電塔の背面に取り付けた状態を示す一部断面側面図である。
【図１１】この発明の実施例の背面枠体と左側面枠体とが突き合わさった連結箇所を背面図側から示す説明図である。
【図１２】この発明の実施例の右側面枠体を、配電塔の右側面の上部に取り付けた状態を示す正面説明図である。
【図１３】この発明の実施例の左側面枠体と背面枠体とが突き合わさった連結箇所を左側面図側から示す説明図である。
【図１４】この発明の実施例の正面枠体、前面コーナーカバー、左側面枠体の配置関係を示す断面平面図である。
【図１５】この発明の実施例の配電塔の右側面に、右側面枠体を取り付ける上部掛け金具のみを取り付けた状態を示す要図である。
【図１６】この発明の実施例の配電塔のベースに棒材を当接した状態の斜視図である。
【図１７】この発明の実施例の左側面枠体と正面枠体とが突き合わさった連結箇所を左側面図側から示す説明図である。
【図１８】この発明の実施例の配電塔の左扉を開いた状態の正面枠体、正面コーナーカバー、左側面枠体の配置関係を示す平面説明図である。
【図１９】この発明の実施例の配電塔における短絡事故による放圧ガスを配電塔の左側面から排出させている状態の正面枠体、正面コーナーカバー、左側面枠体の配置関係を示す平面説明図である。
【符号の説明】
【００４２】
Ａ      緑化フレーム            Ｂ      植物
Ｃ      配電塔                  
１      正面枠体                ２      背面枠体
３      左側面枠体              ４      右側面枠体
５      扉                    １２      錠前カバー
２７      正面コーナーカバー    ２１      側面枠体の傾斜端縁
３０      放圧ガス              ３１      屋根カバー
３４      背面コーナーカバー    ３５      格子枠
【図１】
0004700292.tif 000002
【図２】
0004700292.tif 000003
【図３】
0004700292.tif 000004
【図４】
0004700292.tif 000005
【図５】
0004700292.tif 000006
【図６】
0004700292.tif 000007
【図７】
0004700292.tif 000008
【図８】
0004700292.tif 000009
【図９】
0004700292.tif 000010
【図１０】
0004700292.tif 000011
【図１１】
0004700292.tif 000012
【図１２】
0004700292.tif 000013
【図１３】
0004700292.tif 000014
【図１４】
0004700292.tif 000015
【図１５】
0004700292.tif 000016
【図１６】
0004700292.tif 000017
【図１７】
0004700292.tif 000018
【図１８】
0004700292.tif 000019
【図１９】
0004700292.tif 000020